(57)【要約】【目的】基板表面に実装されたスライドスイッチを、スイッチ実装面と反対側の基板裏面側で操作する。基板の裏面側に形成される隙間を大きくしない。【構成】フレーム１０の底板部１４上に基板１５を取り付ける。基板１５の側縁部表面にスライドスイッチ１６を上向きに実装する。スライドスイッチ１６をフレーム１０の裏面側で操作するために、キートップ１７を組み合わせる。キートップ１７は、連結部１７ａで繋いだ基板表面側及び基板裏面側の張り出し部１７ｂ，１７ｃによりスライドスイッチ１６を基板１５と共に表裏から挟むコ字型部材であり、基板裏面側の張り出し部１７ｃには、フレーム１０の底板部１４を貫通してその裏面側へ突出する操作部１７ｆを有している。基板裏面側の張り出し部１７ｃは、フレーム１０の底板部１４とその上の基板１５との間の僅かの隙間に挿入される薄板形状であり、その隙間の増大を必要としない。【選択図】　　　図６
2004089539.tif 000002
【特許請求の範囲】
【請求項１】
基板の表面に、スライド操作部を基板表面側に向けて実装されたスライドスイッチと、スライドスイッチの側方に配置され、基板表面側の端部がスイッチ表面に沿って張り出してスライド操作部に係合し、基板裏面側の端部が基板の裏面に沿って張り出すと共に、その裏面側の張り出し部に基板裏面側に突出するスライド操作部が設けられたキートップとを備えたことを特徴とする薄型スライドスイッチ機構。
【請求項２】
前記スライドスイッチは、前記基板の縁部表面に実装されていることを特徴とする請求項１に記載の薄型スライドスイッチ機構。
【請求項３】
前記キートップは、基板表面側の張り出し部が、前記スライドスイッチのスライド操作部に側方から嵌合する構成である請求項１に記載の薄型スライドスイッチ機構。
【請求項４】
前記キートップは、前記基板と当該基板が搭載されたシャーシとの隙間に、基板裏面側の張り出し部がスライド自在に配置されると共に、前記スライド操作部が前記シャーシを貫通してその裏面側へ突出する構成である請求項１に記載の薄型スライドスイッチ機構。
【請求項５】
前記キートップは、基板表面側の張り出し部と基板裏面側の張り出し部を繋ぐ連結部が、前記シャーシの内側面に案内される構成である請求項４に記載の薄型スライドスイッチ機構。
【発明の詳細な説明】
【０００１】
【発明の属する技術分野】
本発明は、基板表面に実装されたスライドスイッチを、スイッチ実装面と反対側の基板裏面側で操作できる薄型スライドスイッチ機構に関する。
【０００２】
【従来の技術】
リモコン戦車などの自走式玩具では、外観のリアリティを損なわないために、電源用スライドスイッチの操作部をシャーシの裏面側に設ける場合が少なくない。一方、電気回路基板はシャーシ内にその底板部に沿って水平に配置されるのが一般的である。
【０００３】
電気回路基板がシャーシ内にその底板部に沿って配置されている場合、電源用スライドスイッチの操作部をシャーシの裏面側に設けるためには、スライドスイッチを電気回路基板の裏面に下向きに実装する必要がある。
【０００４】
さもなければ、スライドスイッチを電気回路基板から分離してシャーシの底板部に独立に取り付けるとか、スライドスイッチを電気回路基板の表面に上向きに実装した上で、スライド操作部をシャーシの裏面側で操作できるように、そのスライドスイッチにキートップを組み合わせるといった工夫が必要になる。このようなキートップの一つとして、スライドスイッチの操作部をスイッチから離れた位置で操作するものは、例えば特許文献１に記載されている。
【０００５】
【特許文献１】
特開平１１−２５８０３号公報
【０００６】
【発明が解決しようとする課題】
しかしながら、スライドスイッチは、他の実装部品である集積回路チップなどと比べて厚みが大きい。一方、シャーシと電気回路基板の隙間は、設計上の制約から極力狭くされる。このため、スライドスイッチを電気回路基板の裏面に下向きに実装することは、通常はスペース上の制約から困難であり、設計変更するにしても、電気回路基板がシャーシの底板部から離れ、厚みや高さの増大が問題になる。
【０００７】
スライドスイッチを電気回路基板から分離してシャーシの底板部に独立に取り付ける場合は、組立工数が増加する問題がある。
【０００８】
特許文献１に記載されたキートップは、スライドスイッチを操作側と同じ方向からしか操作できない。このため、基板表面に実装されたスライドスイッチを、スイッチ実装面と反対側の基板裏面側で操作するような用途には、適用できない。
【０００９】
本発明はかかる事情に鑑みて創案されたものであり、その目的は、基板表面に実装されたスライドスイッチを、スイッチ実装面と反対側の基板裏面側で操作できて、なおかつ厚みの増大を回避できる薄型スライドスイッチ機構を提供することにある。
【００１０】
【課題を解決するための手段】
上記目的を達成するめに、本発明に係る薄型スライドスイッチ機構は、基板の表面に、スライド操作部を基板表面側に向けて実装されたスライドスイッチと、スライドスイッチの側方に配置され、基板表面側の端部がスイッチ表面に沿って張り出してスライド操作部に係合し、基板裏面側の端部が基板の裏面に沿って張り出すと共に、その裏面側の張り出し部に基板裏面側に突出するスライド操作部が設けられたキートップとを備えている。
【００１１】
本発明に係る薄型スライドスイッチ機構においては、スライドスイッチ表面側のスライド操作部が、キートップを介して基板裏面側から操作される。基板の裏面側には裏面側の張り出し部が位置するが、裏面側の張り出し部は、スライドスイッチほどの厚みを必要としない。このため、基板の裏面側に十分なスペースが確保できない場合も、スイッチ機構の組み込みが可能になる。加えて、キートップは、表面側の張り出し部と裏面側の張り出し部とで、スライドスイッチを基板と共に表裏から挟むコ字型構造乃至はＣ字型構造であるので、ガタつきが少なく、応答性がよい。
【００１２】
前記スライドスイッチは、前記基板の縁部表面に実装するのが好ましい。これにより、キートップにおける張り出し部の張り出し長さが小さくなり、そのガタツキがより小さく抑制される。
【００１３】
前記キートップは、基板表面側の張り出し部が、前記スライドスイッチのスライド操作部に側方から嵌合する構成が好ましい。この構成により、スライドスイッチへのキートップの組み付けが容易になる。
【００１４】
前記キートップは又、前記基板と当該基板が搭載されたシャーシとの隙間に、基板裏面側の張り出し部がスライド自在に配置されると共に、前記スライド操作部が前記シャーシを貫通してその裏面側へ突出する構成が好ましい。この構成によると、裏面側の張り出し部が、基板とシャーシとの間に挟まれ支持される。このため、キートップのガタツキがより小さく抑制される。
【００１５】
ここで、キートップは、基板表面側の張り出し部と基板裏面側の張り出し部を繋ぐ連結部が、前記シャーシの内側面に案内される構成が好ましい。この構成によると、連結部がシャーシの内側面とスイッチの外側面（及び／又は基板の側端面）との間に挟まれ支持される。このため、キートップのガタツキがより小さく抑制される。
【００１６】
【発明の実施の形態】
以下に本発明の実施形態を図面に基づいて説明する。図１は本発明の実施形態に係る薄型スライドスイッチ機構を用いたリモコン戦車の斜視図、図２は同リモコン戦車の別の斜視図、図３は同リモコン戦車の更に別の斜視図、図４は同リモコン戦車の更に別の斜視図、図５は同リモコン戦車の縦断側面図、図６は同リモコン戦車に用いられた薄型スライドスイッチ機構の斜視図、図７は同薄型スライドスイッチ機構の別の斜視図、図８は同薄型スライドスイッチ機構の縦断側面図、図９は同薄型スライドスイッチ機構の別の縦断側面図でキートップを外した状態を示している。
【００１７】
本発明の実施形態に係る薄型スライドスイッチ機構は、リモコン式自走玩具の一種であるリモコン戦車における電源スイッチとして使用されている。このリモコン戦車は、赤外線を用いた遠隔操作により戦闘ゲームを行うものである。
【００１８】
まず、リモコン戦車の概要を図１〜図５により簡単に説明する。このリモコン戦車は、シャーシ１０にキャビネット２０を被せて構成された車両部Ａと、車両部Ａの上に取り付けられた砲塔部Ｂとからなる。
【００１９】
車両部Ａのシャーシ１０は、船形をした樹脂形成体である。シャーシ１０の両側には、両側１組の駆動輪１１ａ，１１ａが最後部に位置して取り付けられている。最後部の駆動輪１１ａと最前部の従動輪１１ｂとの間には、複数の大径従動輪１１ｃ・・が設けられており、これらにはゴム製の無端ベルト１２が掛け巻かれている。両側の無端ベルト１２，１２は、シャーシ１０の後部内に搭載された両側１組のモータ１３の回転を歯車を介して各側の駆動輪１１ａに伝達することにより、独立に周回駆動される。
【００２０】
シャーシ１０内には又、底板部１４の前部から中央部に沿って主基板１５が水平に固定されている。主基板１５の表面には電源スイッチとしてのスライドスイッチ１６と共に、他の各種電気・電子部品が実装されており、裏面にも各種の電気・電子部品が実装されている。スライドスイッチ１６は、キートップ１７により、シャーシ１０の裏面側で操作される。シャーシ１０の裏面には、充電用の端子部１８，１８が、底板部１４の両側部に位置して設けられている。端子部１８，１８は、シャーシ１０内の主基板１５と電気的に接続しており、図示されない充電器と接続されることにより、シャーシ１０内に搭載された電池を主基板１６を介して充電する。
【００２１】
キャビネット２０は、シャーシ１０を覆う下面開放の樹脂カバーであり、シャーシ１０とはネジ２２により連結固定される。キャビネット２０の中央部はほぼ水平な天板部２１である。天板部２１には、後述する砲塔部Ｂとの接続のために、垂直な軸部２３が上方に突出して設けられている。
【００２２】
砲塔部Ｂは、下ケース３０と、これに被せられる上ケース４０と、両ケース間に挟むようにして前部に取り付けられた砲身５０とを備えている。
【００２３】
下ケース３０の中央部には、軸部２３が挿入される垂直な貫通孔が設けられると共に、貫通孔周囲の筒状部３１を取り囲むように環状部３２が同心円状に設けられている。環状部３２は回転ベース部であり、環状部３２の後半分内周面は内歯車３３である。そして、筒状部３１を軸部２３に外嵌し、軸部２３の上端面に樹脂ワッシャ２４をネジ２５で固定することにより、筒状部３１が軸方向で固定されて、下ケース３０がキャビネット２０に回転自在に連結されると共に、下ケース３０に所定の回転抵抗力が付与される。
【００２４】
一方、上ケース４０には、遠隔操作のための赤外線受光部４１が設けられており、その奥には受光センサが配置されている。
【００２５】
砲塔部Ｂの前部には、赤外線発光部５１が砲身５０の側方に位置して設けられている。赤外線発光部５１は、下ケース３０と上ケース４０との間にあり、その奥には赤外線ランプが配置されている。発赤外線ランプは砲撃操作に対応して動作する砲撃動作部であり、赤外線受光部４１の奥に配置された受光センサと共に、下ケース３０上の副基板３４に実装されている。副基板３４とシャーシ１０内の主基板１５とはリード線により電気的に接続されている。
【００２６】
このリモコン戦車の動作について簡単に説明すると、図示されないコントローラを操作すると、その操作に対応する赤外線信号がコントローラから発信される。この信号が砲塔部Ｂの赤外線受光部４１に受光されると、信号に対応する動作をリモコン戦車が実行する。具体的には、両側の無端ベルト１２，１２を独立に周回駆動して前進、後退、方向転換を行うと共に、砲撃操作に対応して赤外線発光部５１を作動させる。かかる操作で相手のリモコン戦車を追撃し砲撃する。
【００２７】
相手のリモコン戦車の砲撃を受けた場合、赤外線発光部５１から発せられた赤外線が赤外線受光部４１に受光される。砲撃を受けたリモコン戦車は、砲撃によるダメージを想定した動作として、例えば定位置で旋回を続ける。
【００２８】
こうして、戦車による戦闘ゲームを行う。砲塔部Ｂは手動で旋回させるが、車両部Ａに砲塔旋回用のモータを搭載し、下ケース３０の環状部３２の後半分内周面に設けられた内歯車３３に噛み合う平歯車を、このモータで駆動することにより、砲塔部Ｂの旋回動作も遠隔操作で行うことができる。
【００２９】
以上が、本発明の実施形態に係る薄型スライドスイッチ機構を用いたリモコン戦車の概要である。以下に、このリモコン戦車に組み込まれている薄型スライドスイッチ機構を、図６〜図９により詳細に説明する。
【００３０】
本発明の実施形態に係る薄型スライドスイッチ機構は、シャーシ１０内の主基板１５の表面に実装されたスライドスイッチ１６と、スライドスイッチ１６をシャーシ１０の裏面側から操作するために当該スライドスイッチ１６に組み合わされたキートップ１７とで構成されている。
【００３１】
スライドスイッチ１６は、直方体状のボディ１６ａと、ボディ１６ａの表面から突出した操作部１６ｂとを備えている。ボディ１６ａは、主基板１５の前部表面に、操作部１６ｂの操作方向が主基板１５の側縁に沿うように、その側縁に沿って実装されている。より詳しくは、主基板１５の前部に側縁に沿う切り込み１５ａが設けられており、この切り込み１５ａの内側面とボディ１６ａの外側面とがほぼ面一となるように、主基板１５の前部表面にボディ１６ａは実装されている。操作部１６ｂは、ボディ１６ａの長手方向（主基板１５の側縁に平行な方向）にスライド可能であり、そのスライド操作により、当該リモコン戦車の電源をオン・オフする。
【００３２】
スライドスイッチ１６に組み合わされるキートップ１７は、スライドスイッチ１６のボディ１６ｂをその下の主基板１５と共に表裏から挟む、正面から見て略コ字形の樹脂成形体であり、より詳しくは、スライドスイッチ１６のボディ１６ｂの側方に配置された垂直な連結部１７ａと、連結部１７ａの基板表面側の端部から内側へボディ１６ｂの表面に沿って張り出した表面側の張り出し部１７ｂと、連結部１７ａの基板裏面側の端部から内側へ主基板１５の裏面に沿って張り出した裏面側の張り出し部１７ｃとを有している。
【００３３】
キートップ１７の連結部１７ａは、主基板１５の前部に側縁に沿って設けられた切り込み１５ａに嵌合しており、ボディ１６ａの外側面とシャーシ１０の側板部内面との間を、両方の側面に案内されてボディ１６ａの長手方向（操作部１６ｂの操作方向）にスライドするように構成されている。
【００３４】
表面側の張り出し部１７ｂは、スライドスイッチ１６のボディ１６ａの表面にほぼ全幅にわたって当接する長さに張り出しており、その先端面には、操作部１６ｂが嵌合するように裏面側に開放した切り込み状の凹部１７ｄが設けられている。張り出し部１７ｂの外側部上面にはストッパー１７ｅが突設されている。
【００３５】
裏面側の張り出し部１７ｃは、シャーシ１０の底板部１４とその上の主基板１５との間の微小な隙間に挿入される薄厚の平板であり、底板部１４の表面と主基板１５の裏面とに案内されてボディ１６ａの長手方向（操作部１６ｂの操作方向）にスライドするように構成されている。この張り出し部１７ｃは表面側の張り出し部１７ｂとほぼ同じ長さに張り出しており、その裏面には、スライドスイッチ１６の操作部１６ｂにほぼ対応する位置から裏面側へ突出した角棒状の操作部１７ｆが設けられている。そして操作部１７ｆは、シャーシ１０の底板部１４に設けられた長孔１４ａ（図４参照）を通してその裏面側へ突出している。長孔１４ａは、操作部１７ｆをスライドスイッチ１６の操作部１６ｂと同じ方向に操作するために、操作部１６ｂの操作方向に延長された角孔である。
【００３６】
このように構成された薄型スライドスイッチ機構の機能は以下のとおりである。
【００３７】
スライドスイッチ１６は、従来どおり、主基板１５の表面に上向きに実装されている。シャーシ１０の底板部１４と主基板１５の隙間は、薄型化のために出来るだけ狭く設計され、具体的には主基板１５の裏面に実装された電気・電子部品が収容される程度の寸法に設計されている。
【００３８】
スライドスイッチ１６に組み合わされるキートップ１７は、シャーシ１０の底板部１４と主基板１５の間に挿入される裏面側の張り出し部１７ｃが、シャーシ１０の底板部１４と主基板１５の隙間に挿入される薄板に設計されており、この隙間を増大せる原因にならない。したがって、従来どおりの薄さ、高さが維持される。
【００３９】
そして、このキートップ１７は、操作部１７ｆが、シャーシ１０の底板部１４に設けられた長孔１４ａを通してその裏面側へ突出しており、その操作部１７ｆをスライドスイッチ１６の操作方向にスライド操作することにより、その操作力がキートップ１７を介してスライドスイッチ１６の操作部１６ｂに伝達される。その結果、主基板１５の表面に上向きに実装されたスライドスイッチ１６が、シャーシ１０の裏面側からスライド操作される。
【００４０】
ここで、キートップ１７は、表裏の張り出し部１７ｂ，１７ｃがスライドスイッチ１６のボディ１６ｂをその下の主基板１５と共に表裏から挟み、ボディ１６ｂの表面及び主基板１５の裏面にガイドされる。加えて、裏面側の張り出し部１７ｃは、主基板１５の裏面のみならず、この裏面と底板部１４の表面との間に挟まれて両方の面にガイドされ、且つ、表裏の張り出し部１７ｂ，１７ｃを繋ぐ連結部１７ａは、ボディ１６ｂの外側の側面のみならず、この外側面とシャーシ１０の側板部内面との間に挟まれて、両方の側面にガイドされる。更に、スライドスイッチ１６は、主基板１５の側縁部表面に実装されており、張り出し部１７ｂ，１７ｃの張り出し長さを最小限に抑制している。
【００４１】
これらのため、キートップ１７を操作するときのガタツキが非常に少なく、スライドスイッチ１６の操作部１６ｂがキートップ１７により応答性よくスライド操作されることになる。
【００４２】
キートップ１７は又、表面側の張り出し部１７ｂの先端面に、スライドスイッチ１６の操作部１６ｂが挿入される切り込み状の凹部１７ｄを有しているので、主基板１５上に実装されたスライドスイッチ１６に側方から嵌め込むだけで、スライドスイッチ１６に組み合わされる。このため、スライドスイッチ１６への組み付け作業も簡単である。
【００４３】
上記実施形態は、戦闘ゲーム用のリモコン戦車における電源スイッチに本発明を適用したものであるが、その用途を限定するものではなく、他の自走式玩具などに広く適用可能である。
【００４４】
【発明の効果】
以上に説明したとおり、本発明に係る薄型スライドスイッチ機構は、連結部で繋がれた表裏の張り出し部によりスライドスイッチを基板と共に表裏から挟み、裏面側の張り出し部に基板裏面側に突出するスライド操作部が設けられたコ字型構造乃至はＣ字型構造のキートップを、スライドスイッチに組み合わせることにより、基板表面に実装されたスライドスイッチを、スイッチ実装面と反対側の基板裏面側から応答性よく操作できる。また、基板の裏面側に形成されるスペースを増大させる必要がなく、装置厚乃至は装置高の増大を回避できる。
【図面の簡単な説明】
【図１】本発明の実施形態に係る薄型スライドスイッチ機構を用いたリモコン戦車の斜視図である。
【図２】同リモコン戦車の別の斜視図である。
【図３】同リモコン戦車の更に別の斜視図である。
【図４】同リモコン戦車の更に別の斜視図である。
【図５】同リモコン戦車の縦断側面図である。
【図６】同リモコン戦車に用いられた薄型スライドスイッチ機構の斜視図である。
【図７】同薄型スライドスイッチ機構の別の斜視図である。
【図８】同薄型スライドスイッチ機構の縦断側面図である。
【図９】同薄型スライドスイッチ機構の別の縦断側面図でキートップを外した状態を示している。
【符号の説明】
Ａ　車両部
Ｂ　砲塔部
１０　シャーシ
１１ａ　駆動輪
１１ｂ，１１ｃ　従動輪
１２　無端ベルト
１３　モータ
１４　シャーシ１０の底板部
１５　主基板
１６　スライドスイッチ
１６ａ　ボディ
１６ｂ　操作部
１７　キートップ
１７ａ　連結部
１７ｂ，１７ｃ　張り出し部
１７ｆ　操作部
１８　端子部
１９　電池
２０　キャビネット
２１　天板部
２２　ネジ
２３　軸部
２４　樹脂ワッシャ
２５　ネジ
３０　下ケース
３１　筒状部
３２　環状部
３３　内歯車
４０　上ケース
４１　赤外線受光部
５０　砲身
５１　発光部
【図１】
2004089539.tif 000003
【図２】
2004089539.tif 000004
【図３】
2004089539.tif 000005
【図４】
2004089539.tif 000006
【図５】
2004089539.tif 000007
【図６】
2004089539.tif 000008
【図７】
2004089539.tif 000009
【図８】
2004089539.tif 000010
【図９】
2004089539.tif 000011